(57)【特許請求の範囲】
【請求項１】
支柱と、該支柱の先端に回動可能に設置されているナセルと、該ナセルに回転可能に設けられているロータ軸と、該ロータ軸の先端に設けられているハブと、該ハブに接続されている複数枚のブレードとからなる風力発電設備の前記支柱であって、
前記支柱は複数枚のプレキャストコンクリート製のパネルと複数本のＰＣ綱棒とからなり、複数枚の前記パネルから１段分が形成され、該１段分が複数段に積み上げられ、前記ＰＣ綱棒が各段の前記パネルを上下方向に貫通しており、
各段を構成する前記複数枚の前記パネルは、互いに間隔を空けて配置され、それによって各段に隙間が形成されており、
任意の段の複数枚の前記パネルは、その下段の複数枚の前記パネルに対してそれぞれ水平位置がずれるように配置され、それによって任意の１枚の前記パネルを貫通する複数本のＰＣ綱棒は、その一部がその上段の所定の１枚の前記パネルに、他が該上段の他の１枚の前記パネルにそれぞれ貫通していることを特徴とする、風力発電設備の支柱。
【請求項２】
請求項１に記載の風力発電設備の支柱において、前記各段を構成する前記パネルは上段にいくほど横幅が狭く形成され、それによって前記支柱は上に向かって小径に形成されていることを特徴とする、風力発電設備の支柱。
【請求項３】
請求項１または２に記載の風力発電設備の支柱において、前記パネルは平板状を呈し、複数枚の前記パネルからなる前記１段分は上面形状が中空の多角形に形成されていることを特徴とする、電力発電設備の支柱。
【請求項４】
請求項１〜３のいずれかの項に記載の風力発電設備の支柱において、前記パネルは所定板厚の壁部と、該壁部の両端に形成されている１対の柱部とから構成され、前記ＰＣ綱棒は前記柱部に貫通するようになっていることを特徴とする、電力発電設備の支柱。
【発明の詳細な説明】
【技術分野】
【０００１】
本発明は、風力発電設備の支柱に関するものであり、より詳しくは、風力発電設備は比較的高い支柱と、この支柱の先端に回動可能に設置されているナセルと、このナセルに回転可能に設けられているロータ軸と、ロータ軸の先端に設けられているハブと、このハブに接続されている複数枚のブレードとからなるが、このような風力発電設備の支柱に関するものである。
【背景技術】
【０００２】
いわゆる再生可能エネルギーの一種である風力エネルギーから電力を得る風力発電は、環境意識の高まりによって注目されており、近年多くの風力発電設備が設置されるようになってきている。風力発電設備は陸上、洋上のいずれにも建設されているが、風力発電設備は比較的高い支柱と、この支柱の上に回動可能に設置されているナセルと、このナセルに回転可能に支持されているロータ軸と、ロータ軸の先端に設けられているハブと、ハブに接続されている複数枚のブレードとからなる。ブレードに風が当たるとブレードとハブとロータ軸とが回転する。ナセルの内部にはロータ軸の回転数を増速する増速機、発電機、変圧器等が設けられており、回転エネルギーが電力に変換される。すなわち発電される。発電された電力は支柱の内部に設けられた電力ケーブルを介して外部に送られる。【０００３】
ナセルを回動可能に支持する支柱は、従来は次のように建設されている。予め工場で所定の肉厚の鋼板から径の異なる円筒を複数本製造し、風力発電設備の建設場所に搬送する。コンクリートによって基礎を建設し、この基礎に径が最大の円筒を固定する。次いでこの円筒の上に、それより径が小さめの円筒を接続し溶接によって溶着する。あるいはボルト等によって締結する。これによって円筒同士が連結される。さらにその上により小径の円筒を接続し、溶接、ボルト等により連結する。このような作業を繰り返して、所望の高さの支柱が得られる。
【先行技術文献】
【特許文献】
【０００４】
【特許文献１】特表２０１２−５１９２４４号公報
【０００５】
特許文献１には、風力発電設備の支柱としての利用が可能なタワー構造物が記載されている。特許文献１に記載のタワー構造物は、予め工場で製造された複数枚のコンクリート製の壁部材から建設される。壁部材は、一方の短辺が他方の短辺よりわずかに短い長方形状を呈するコンクリート板からなり、両長辺において長辺に沿って伸びる所定肉厚の支柱部が形成されている。この支柱部には予め支柱部を軸方向に貫通する貫通溝部が設けられ、鋼材の棒部材すなわちＰＣ鋼棒が挿入できるようになっている。このような壁部材を短い方の短辺を上にして立て、円周方向に複数枚並べるようにし、隣り合う壁部材同士を所定のロック部材によって連結する。そうすると多角柱のタワー構造物の１段目が得られる。次いでこの１段目の上に、壁部材を複数枚円周方向に並べ、隣り合う壁部材同士を所定のロック部材によって連結する。すなわちタワー構造物の２段目が得られる。このとき１段目と２段目とでそれぞれの壁部材が整合するようにする。つまり上下の壁部材の支柱部が整合するようにする。支柱部にＰＣ鋼棒を入れ、１段目と２段目のそれぞれの壁部材をＰＣ鋼棒によって連結する。同様にして、２段目の上に壁部材を複数枚円周方向に並べ、隣り合う壁部材同士を所定のロック部材によって連結し、タワー構造物の３段目を得る。２段目と３段目のそれぞれの壁部材をＰＣ鋼棒によって連結する。同様にして４段目、５段目、…を構築する。最後にＰＣ鋼棒にテンションをかける。いわゆるポストテンションによりタワー構造物は強固に形成される。
【発明の概要】
【発明が解決しようとする課題】
【０００６】
従来の支柱についても、あるいは特許文献１に記載のタワー構造物についても、風力発電設備のナセルを支持することができ、いずれにも優れた点がある。しかしながらそれぞれに解決すべき問題も見受けられる。まず従来の支柱については、強度は十分に大きく優れているが、鋼板の円筒の搬送と建設とに問題が見受けられる。一般的に風力発電設備は近隣に人家がない海岸や丘陵地帯が建設場所として選定されることが多く、道路事情は良好ではない。支柱を構成する円筒は径も大きいし長さも長いので大型のトレーラで搬送する必要があるが、大型トレーラが走行可能な道路が無いことが多い。このような場合、大型のトレーラが走行できるように予め道路を整備しなければならない。すなわち搬送に問題が見受けられる。次に鋼板の円筒を建設場所に搬送できたとしても、複数本の円筒から支柱を建設するには、円筒を吊り下げるための大型のクレーンが必要になるという問題がある。円筒は重量が大きいからである。大型のクレーンを使用しなければならないので、必然的に建設にはコストが嵩む。【０００７】
特許文献１に記載のタワー構造物については、複数枚のコンクリート製の壁部材から建設されるので、搬送や建設の問題はほとんどない。すなわち、壁部材は比較的小さく、一般的なトラックによって搬送でき、搬送に要するコストは小さい。また、鋼板の円筒に比して軽量であるので、建設には大型のクレーンを必要としない。すなわち建設に要するコストも比較的小さいと予想される。しかしながら特許文献１に記載のタワー構造物には建設の工程が複雑な点が見受けられる。具体的には、周方向に並べられた壁部材を隣同士で結合している点である。上下の壁部材同士はＰＣ鋼棒によって連結すればいいが、隣り合う壁部材同士については所定のロック部材によって結合しなければならず、建設工程が複雑になっている。従って建設コストが若干嵩む。さらには強度に対する懸念もある。地震の問題がない諸外国においては、特許文献１に記載のタワー構造でも強度は十分であっても、地震の多い我国においては不安がある。隣り合う壁部材同士はロック部材によって結合されているが、地震による横揺れを受けるときこの結合が外れる虞があるからである。大型で頑丈なロック部材を採用すればある程度の強度は得られるだろうが、ロック部材に要するコストが大きくなってしまう。【０００８】
本発明は、上記したような問題点を解決することを目的としており、具体的には、支柱の強度が十分で、支柱を建設するための部材の搬送に要するコストが小さく、かつ支柱を建設するための工程がシンプルであってコストが小さくて済む、風力発電設備の支柱を提供することを目的としている。
【課題を解決するための手段】
【０００９】
本発明は、上記目的を達成するために、風力発電設備の支柱を複数枚のプレキャストコンクリート製のパネルと複数本のＰＣ綱棒とから構成する。具体的には、複数枚のパネルから１段分を形成し、該１段分を複数段に積み上げ、ＰＣ綱棒を各段のパネルに上下に貫通させる。本発明においては、各段を構成する複数枚のパネルは、互いに間隔を空けて配置して各段に隙間が形成されるようにし、各段を構成する複数枚のパネルは、その下段を構成する複数枚のパネルに対してそれぞれ水平位置がずれるように配置する。これによって任意の１枚のパネルを貫通する複数本のＰＣ綱棒のうち、一部のＰＣ綱棒がその上段の所定の１枚のパネルに、他のＰＣ綱棒が他の１枚のパネルにそれぞれ貫通することになる。これによって複数のパネルは水平方向に互いに連結しなくても互いに強固に連結されることになり、強固な支柱が得られる。
【００１０】
すなわち請求項１に記載の発明は、支柱と、該支柱の先端に回動可能に設置されているナセルと、該ナセルに回転可能に設けられているロータ軸と、該ロータ軸の先端に設けられているハブと、該ハブに接続されている複数枚のブレードとからなる風力発電設備の前記支柱であって、前記支柱は複数枚のプレキャストコンクリート製のパネルと複数本のＰＣ綱棒とからなり、複数枚の前記パネルから１段分が形成され、該１段分が複数段に積み上げられ、前記ＰＣ綱棒が各段の前記パネルを上下方向に貫通しており、各段を構成する前記複数枚の前記パネルは、互いに間隔を空けて配置され、それによって各段に隙間が形成されており、任意の段の複数枚の前記パネルは、その下段の複数枚の前記パネルに対してそれぞれ水平位置がずれるように配置され、それによって任意の１枚の前記パネルを貫通する複数本のＰＣ綱棒は、その一部がその上段の所定の１枚の前記パネルに、他が該上段の他の１枚の前記パネルにそれぞれ貫通していることを特徴とする、風力発電設備の支柱として構成される。
請求項２に記載の発明は、請求項１に記載の風力発電設備の支柱において、前記各段を構成する前記パネルは上段にいくほど横幅が狭く形成され、それによって前記支柱は上に向かって小径に形成されていることを特徴とする、風力発電設備の支柱として構成される。
請求項３に記載の発明は、請求項１または２に記載の風力発電設備の支柱において、前記パネルは平板状を呈し、複数枚の前記パネルからなる前記１段分は上面形状が中空の多角形に形成されていることを特徴とする、電力発電設備の支柱として構成される。
請求項４に記載の発明は、請求項１〜３のいずれかの項に記載の風力発電設備の支柱において、前記パネルは所定板厚の壁部と、該壁部の両端に形成されている１対の柱部とから構成され、前記ＰＣ綱棒は前記柱部に貫通するようになっていることを特徴とする、電力発電設備の支柱として構成される。
【発明の効果】
【００１１】
以上のように本発明は、支柱と、該支柱の先端に回動可能に設置されているナセルと、該ナセルに回転可能に設けられているロータ軸と、該ロータ軸の先端に設けられているハブと、該ハブに接続されている複数枚のブレードとからなる風力発電設備の支柱を対象にしている。そして本発明によると、支柱は複数枚のプレキャストコンクリート製のパネルと複数本のＰＣ綱棒とからなり、複数枚のパネルから１段分が形成され、該１段分が複数段に積み上げられ、ＰＣ綱棒が各段のパネルを上下方向に貫通している。支柱はパネルとＰＣ綱棒とから建設されるので、パネルもＰＣ綱棒も搬送に大型のトレーラを必要とせず、搬送のコストを小さくすることができる。また、大型のクレーンを必要とせずに支柱を建設できる。そして本発明によると、各段を構成する複数枚のパネルは、互いに間隔を空けて配置され、それによって各段に隙間が形成されている。従って、支柱は全体として隙間が多い構造になる。風力発電設備は強い風が吹く場所に設置されるので、支柱に風による力が作用するが、この発明によると支柱には隙間が多く形成されるのでそのような力を小さくすることができる。さらに本発明によると、任意の段の複数枚のパネルは、その下段の複数枚のパネルに対してそれぞれ水平位置がずれるように配置され、それによって任意の１枚のパネルを貫通する複数本のＰＣ綱棒は、その一部がその上段の所定の１枚のパネルに、他が該上段の他の１枚のパネルにそれぞれ貫通している。これによってパネル同士を筋交い状に連結することになり、横方向、つまり周方向に互いに連結しなくても、実質的に周方向にも連結した効果が得られる。従って、上下方向に貫通するＰＣ綱棒のみによって、上下方向と周方向のパネル同士を連結でき、建設に要する工程がシンプルで建設のコストを小さくできる。さらには、周方向のパネル同士を連結するために、格別に部材を必要とせず、そのような部材が破壊される虞がないので、強度の高い支柱が建設できる。
他の発明によると、パネルは所定板厚の壁部と、該壁部の両端に形成されている１対の柱部とから構成され、ＰＣ綱棒は柱部に貫通するようになっている。ＰＣ綱棒は張力を作用させてポストテンショニングにより構造物を強固に形成することができるが、この発明によってＰＣ綱棒が貫通する部分は柱部になっていて高い圧縮応力に対応できる。従って強度の高い支柱が建設できる。
【図面の簡単な説明】
【００１２】
【図１】本発明の実施の形態に係る支柱を備えた風力発電設備を示す斜視図である。
【図２】本発明の実施の形態に係る支柱を構成する、本実施の形態に係るパネルを示す斜視図である。
【図３】本実施の形態に係るパネルを打設するために使用する型枠を示す図で、その（Ａ）、（Ｂ）はそれぞれ横幅の長さが異なるパネルを打設するときの型枠を示す斜視図である。
【図４】本実施の形態に係るパネルを示す図で、その（Ａ）、（Ｂ）はそれぞれ横幅の長さが異なるパネルを示す斜視図である。
【図５】本実施の形態に係る複数枚のパネルからなる本実施の形態に係る支柱を示す図で、その（Ａ）は支柱の斜視図、その（Ｂ）、（Ｃ）はそれぞれその（Ａ）において支柱をＸ１−Ｘ１、Ｘ２−Ｘ２で切断した断面図である。
【図６】その（Ａ）〜（Ｃ）はそれぞれ、本発明の色々な実施の形態に係る支柱についての断面図である。
【図７】その（Ａ）、（Ｂ）はそれぞれ、本発明の色々な実施の形態に係る支柱の断面図である。
【図８】本発明の他の実施の形態に係る支柱を示す斜視図である。
【発明を実施するための形態】
【００１３】
以下、本発明の実施の形態を説明する。本実施の形態に係る風力発電設備１は、図１に示されているように、その構造に特徴がある本実施の形態に係る支柱２と、この支柱２の上で水平に回動されるナセル４と、図示されていないがナセル４に回転可能に支持されているロータ軸と、ロータ軸に設けられているハブ５と、ハブ５に対して角度調整自在に取付けられているブレード６、６、…とから構成されている。ブレード６、６、…が風を受けるとロータ軸、ハブ５、ブレード６、６、…が回転する。ナセル４内には、図に示されていないが、ロータ軸の回転を増速する増速機、増速された回転を電力に変換する発電機、所望の周波数の交流電流に変換するインバータからなる電力変換装置、等が設けられ、風力エネルギーが電気エネルギーに変換される。すなわち発電される。発電された電力は、支柱５内に設けられている電力ケーブルを介して外部に送電されることになる。
【００１４】
本実施の形態に係る支柱２は、複数枚のプレキャストコンクリート製のパネル８、８、…から構成されている。これらのパネル８、８、…は複数段に積まれており、その横幅は下層の段のパネル８、８、…に比して上層の段のパネル８、８、…は狭くなっているが、その他の形状あるいは構造は同じになっている。すなわち図２に示されているように、パネル８は、左右の１対の柱部１０、１０と、これらの柱部１０、１０の間に形成されている所定板厚の壁部１１とから全体が略長方形状に構成されている。一対の柱部１０、１０の間隔は、下端において広く、上端において狭くなっている。つまりパネル８は長方形の一対の短辺のうち、上辺に相当する短辺が短くなっている。つまり台形状を呈している。一対の柱部１０、１０は、本実施の形態に係る支柱２が建設されるとき強い圧縮応力が作用するので、強度が得られるよう必要な太さに形成されている。本実施の形態においては柱部１０、１０は正八角柱になっているが、円柱であっても他の形状であってもよい。柱部１０、１０には、ＰＣ綱棒が挿入されるシーズ管１３、１３、…が複数本埋め込まれている。シーズ管１３、１３、…の本数は、強度上必要となるＰＣ綱棒の本数によって適宜増減すればよく、本実施の形態においては１本の柱部１０に８本埋め込まれている。壁部１１には、中央部に段部１４が形成されているが、この段部１４は次に説明するように型枠にコンクリートを打設してパネル８を製造するときに形成される部分である。
【００１５】
本実施の形態に係るパネル８は、予め工場で製造され、風力発電設備の建設場所に搬送されるものであるが、図３の（Ａ）、（Ｂ）に示されている型枠１６によって製造される。型枠１６は、第１の型枠部材１７と第２の型枠部材１８と板状型枠部材１９とからなる。第１の型枠部材１７と第２の型枠部材１８は、所定板厚の金属板から板金加工により形成され、互いに左右対称の形状になっている。第１、２の型枠部材１７、１８には、パネル８の柱部１０、１０を形成する柱部形成用凹部１７ａ、１８ａと、壁部１１の一部を形成するための平板部１７ｂ、１８ｂとが設けられている。これら第１、２の型枠部材１７、１８の平板部１７ｂ、１８ｂを板状型枠部材１９に載せて固定すると、型枠１６が形成される。図３の（Ａ）、（Ｂ）に示されているように、第１、２の型枠部材１７、１８は、互いに離間させたり、近接させたりして、横幅の異なるパネル８を製造するようになっているが、必要に応じて横幅の異なる板状型枠部材１９、１９’を交換して型枠１６を構成するようになっている。図３の（Ａ）のように第１、２の型枠部材１７、１８を離間させた状態でコンクリートを打設すると、図４の（Ａ）に示されているような幅広のパネル８を製造することができ、図３の（Ｂ）のように第１、２の型枠部材１７、１８を近接させた状態でコンクリートを打設すると、図４の（Ｂ）に示されているような幅の狭いパネル８を製造することができる。
【００１６】
本実施の形態に係るパネル８、８、…から本実施の形態に係る支柱２を建設する方法を説明する。最初に建設場所にコンクリートを打設して基礎を作る。基礎の上に、図５の（Ｃ）に示されているように、横幅の広いパネル８、８、…を４枚配置する。このとき４枚のパネル８、８、…は正八角形の８辺のうち、１辺おきに選択された４辺に配置するようにする。図には示されていないが、１段目のパネル８、８、…のシーズ管１３、１３、…にＰＣ綱棒を挿入する。すなわち支柱２の１段目が建設される。次に、これら４枚のパネル８、８、…からなる１段目の上に、図５の（Ｂ）に示されているように、横幅が若干狭いパネル８、８、…を４枚配置して、支柱２の２段目を建設する。このとき、１段目のパネル８、８、…と、２段目のパネル８、８、…とが互いに水平位置がずれるように配置し、かつ１段目のパネル８、８、…の柱部１０、１０、…と２段目のパネル８、８、…の柱部１０、１０、…が整合するようにする。２段目のパネル８、８、…のシーズ管１３、１３、…にＰＣ綱棒を挿入し、１段目のＰＣ綱棒と所定のカプラで接続する。すなわちＰＣ綱棒は１段目と２段目で貫通することになる。１段目と２段目のパネル８、８、…は互いに水平位置がずれているので、１段目の所定のパネル８の左の柱部１０に挿入されているＰＣ綱棒は２段目の左側に位置する所定のパネル８の右の柱部１０を、１段目のこのパネル８の右の柱部１０に挿入されているＰＣ綱棒は２段目の右側に位置する別のパネル８の左の柱部１０を、それぞれ貫通した状態になる。ＰＣ綱棒は上下方向に貫通しているので、上段と下段のパネル８、８、…同士は、いわゆる筋交いのように結合されることになる。
【００１７】
同様に４枚のパネル８、８、…からなる２段目の上に、それより横幅が狭いパネル８、８、…を４枚、水平位置がずれるように配置し、パネル８、８、…にＰＣ綱棒を挿入して２段目のパネル８、８、…のＰＣ綱棒と接続する。すなわち支柱２の３段目が建設される。以下同様にして、図５の（Ａ）に示されているように、複数段にパネル８、８、…を積み上げ、ＰＣ綱棒を挿入し、ＰＣ綱棒を連結する。最上段まで建設したら、ＰＣ綱棒に張力を作用させるポストテンショニングを実施する。必要によりシーズ管１３、１３、…にグラウト材を注入する。本実施の形態に係る支柱２が完成する。
【００１８】
本実施の形態に係る風力発電設備の支柱２は色々な変形が可能である。例えば、上の実施の形態においては、図５の（Ｂ）、（Ｃ）に示されているように正８角形を形成するようにパネル８、８、…を配置し、それによって支柱２は正八角柱、あるいは正八角錐のように形成した。しかしながら、例えば図６の（Ａ）、（Ｂ）に示されているように、パネル８ａ、８ｂ、…を正６角形、正方形に配置してもよいし、他の多角形に配置してもよい。図６の（Ａ）、（Ｂ）のように配置すると、それぞれ６角錐、４角錐状を呈する支柱が形成される。図６の（Ｂ）のようにパネル８ｂ、８ｂ、…を配置して得られる支柱２ｂが図７の（Ａ）に示されている。なお、ＰＣ綱棒２２ａ、２２ｂ、…は図６においては小さな黒点で、図７においては２点鎖線でそれぞれ示されているが、ＰＣ綱棒２２ａ、２２ｂ、…の本数は、各柱部１０ａ、１０ｂ、…の１本あたり１本ずつ挿入しても良いし、複数本ずつ挿入するようにしてもよい。
【００１９】
パネル８ｃ、８ｃ、…は、図６の（Ｃ）に示されているように、柱部を設けずに壁部１１ｃ、１１ｃ、…のみから構成することもできる。壁部１１ｃ、１１ｃ、…の板厚を厚く形成すれば十分に圧縮応力に耐えられるからである。図６の（Ｃ）に示されている例は、パネル８ｃ、８ｃ、…の配置も変形されている。すなわちパネル８ｃ、８ｃ、…は正方形の各辺を構成するように配置し、下段の正方形に対して上段の正方形のパネル８ｃ、８ｃ、…が４５度回転するようにして、すなわち水平方向にずれるようにして配置されている。そして壁部１１ｃ、１１ｃ、…にＰＣ綱棒２２ｃ、２２ｃ、…が挿入されている。
【００２０】
他の変形も可能である。本実施の形態に係る支柱２、２ａ、…のおいて、支柱２、２ａ、…を構成するパネル８、８ａ、…は、すべて同じ形状からなるように説明した。しかしながら支柱２、２ａ、…を構成するパネル８、８ａ、…の他に補助的なパネル、つまり補助パネル２３ｄ、２３ｄ、…を設けるようにしてもよい。図７の（Ｂ）には、このような支柱２ｄが示されている。すなわち図７の（Ａ）に示されている支柱２ｂに対して、図７の（Ｂ）に示されている支柱２ｄは、補助パネル２３ｄ、２３ｄが追加されて補助パネル２３ｄ、２３ｄによって隙間が塞がれた構造になっている。
【００２１】
本実施の形態において、パネル８、８ａ、…は平板状であるように説明したが、図８に示されているように、パネル８ｅ、８ｅ、…は湾曲した板状に形成してもよい。この実施の形態においても、上下の段を構成するパネル８ｅ、８ｅ、…は互いに水平方向にずれるように配置されている。そして、この実施の形態に係る支柱２ｅにおいても、任意の段の１個のパネル８ｅを貫通するＰＣ綱棒２２ｅ、２２ｅ、…は、その一部が上段の左側の１個のパネル８ｅに、他が上段の右側の１個のパネル８ｅにそれぞれ貫通している。
【００２２】
本実施の形態に係る支柱２、２ａ、…は他の変形も可能である。パネル８、８ａ、…は予めシーズ管１３、１３、…を埋め込んでコンクリートが打設されるように説明した。すなわちＰＣ綱棒２２、２２ａ、…は製造されたパネル８、８ａ、…に後から挿入するようになっている。しかしながら、シーズ管１３、１３、…は必ずしも必須ではない。例えばグリスを付着させた状態でＰＣ綱棒２２、２２ａ、…を予め埋め込んでコンクリートを打設する、いわゆるアンボンド加工によってしてパネル８、８ａ、…を製造してもよい。
【００２３】
本実施の形態に係る支柱２、２ａ、…はその構造だけでなく、建設方法も変形することができる。上で説明した建設方法では、パネル８、８ａ、…をクレーン等で１枚ずつ吊り上げて、１段ずつ積み上げるようにして支柱２、２ａ、…を建設するように説明した。しかしながら複数枚のパネル８、８ａ、…から複数段分、例えば３段分を地上で建設して、ＰＣ綱棒によって仮緊張させる。そして、この複数段分をクレーンで吊り上げる。次いで新たに複数枚のパネル８、８ａ、…から複数段分地上で建設して、ＰＣ綱棒によって仮緊張させ、クレーンで吊り上げる。これを繰り返して支柱２、２ａ、…を建設してもよい。
【符号の説明】
【００２４】
１      風力発電設備            ２      支柱
４      ナセル                  ５      ハブ
６      ブレード                ８      パネル
１０      柱部                  １１      壁部
１６      型枠                  １７      第１の型枠部材
１８      第２の型枠部材        １９      板状型枠部材
２２      ＰＣ綱棒              ２３      補助パネル
【要約】
【課題】強度が大きく、支柱用の部材の搬送コストが小さく、かつ建設コストが小さい、風力発電設備の支柱を提供する
【解決手段】風力発電設備（１）の支柱（２）を複数枚のプレキャストコンクリート製のパネル（８）と複数本のＰＣ綱棒とから構成する。複数枚のパネル（８）から１段分を形成し、これを複数段に積み上げ、ＰＣ綱棒を各段のパネル（８）に上下に貫通させる。各段を構成する複数枚のパネル（８）は、その下段を構成する複数枚のパネル（８）に対してそれぞれ水平位置がずれるように配置する。これによって任意の１枚のパネル（８）を貫通する複数本のＰＣ綱棒のうち、一部のＰＣ綱棒がその上段の所定の１枚のパネル（８）に、他のＰＣ綱棒が他の１枚のパネル（８）にそれぞれ貫通することになる。
【選択図】  図１【図１】
0006746159.tif 000002
【図２】
0006746159.tif 000003
【図３】
0006746159.tif 000004
【図４】
0006746159.tif 000005
【図５】
0006746159.tif 000006
【図６】
0006746159.tif 000007
【図７】
0006746159.tif 000008
【図８】
0006746159.tif 000009